(57)【要約】【課題】  アクセス回線として１本の光ファイバを使用するだけで、ＦＴＴＨサービスだけでなく、アナログ電話網やＩＳＤＮ網などの一般公衆網によって提供されているサービスも利用できるようにする。【解決手段】  リモート側メディアコンバータ４は、アナログ電話機２の状態（オフフック等）を示す疑似呼制御情報またはアナログ電話機２からの音声信号をディジタル化した信号と、イーサ端末３からの信号とを多重化し、光ファイバ５を介してセンター側メディアコンバータ６へ送信する。センター側メディアコンバータ６では、送られてきた多重化信号をアナログ電話網７への信号と、疑似呼制御情報と、インターネット８への信号とに分離し、該当する網へ出力する。また、疑似呼制御情報に従ってアナログ電話機２の状態を疑似し、アナログ電話網７に対してアナログ電話機２が接続されているように見せる。【選択図】      図１
2005184174.tif 000002
【特許請求の範囲】
【請求項１】
一般公衆網によって提供されるサービスを利用するための第１の装置とＦＴＴＨサービスを利用するための第２の装置とを収容したリモート側メディアコンバータと、該リモート側メディアコンバータと光ファイバを介して接続されると共に前記一般公衆網及びインターネットに接続されるセンター側メディアコンバータとを含む通信システムであって、
前記リモート側メディアコンバータが、前記第１の装置からの信号と前記第２の装置からの信号とを多重化して前記光ファイバへ送出する構成と、前記光ファイバを介して送られてくる信号を前記第１の装置用の信号と前記第２の装置用の信号とに分離する構成と、前記第１の装置に対して前記一般公衆網が行う呼制御を疑似する構成とを備え、
前記センター側メディアコンバータが、前記一般公衆網からの前記第１の装置への信号と前記インターネットからの前記第２の装置への信号とを多重化して前記光ファイバに送出する構成と、前記光ファイバを介して送られてくる信号を前記一般公衆網用の信号と前記インターネット用の信号とに分離する構成と、前記一般公衆網に対して前記第１の装置の状態を疑似する構成とを備えたことを特徴とする通信システム。
【請求項２】
アナログ電話網によって提供されるサービスを利用するための第１の装置とＦＴＴＨサービスを利用するための第２の装置とを収容したリモート側メディアコンバータと、該リモート側メディアコンバータと光ファイバを介して接続されると共に前記アナログ電話網及びインターネットに接続されるセンター側メディアコンバータとを含む通信システムであって、
前記リモート側メディアコンバータが、前記第１の装置からの信号と前記第２の装置からの信号と前記第１の装置の状態に応じた疑似呼制御情報とを多重化して前記光ファイバへ送出する構成と、前記光ファイバを介して送られてくる信号を前記第１の装置用の信号と前記第２の装置用の信号と疑似呼制御情報とに分離する構成と、該分離された疑似呼制御情報に基づいて前記第１の装置に対する呼制御を実行する構成とを備え、
前記センター側メディアコンバータが、前記アナログ電話網からの前記第１の装置への信号と前記インターネットからの前記第２の装置への信号と前記アナログ電話網からの呼制御情報に対応した疑似呼制御情報とを多重化して前記光ファイバに送出する構成と、前記光ファイバを介して送られてくる信号を前記アナログ電話網用の信号と疑似呼制御情報と前記インターネット用の信号とに分離する構成と、該分離した疑似呼制御情報に従って前記第１の装置の状態を疑似する構成とを備えたことを特徴とする通信システム。
【請求項３】
請求項２記載の通信システムにおいて、
前記リモート側メディアコンバータが、
前記第１の装置の状態に応じた疑似呼制御情報を出力すると共に、入力された疑似呼制御情報に従って前記第１の装置に対する呼制御を行うリモート側呼制御部と、
前記第１の装置からの信号をディジタル化すると共に、前記第１の装置への信号をアナログ化するリモート側変換部と、
該リモート側変換部でディジタル化された前記第１の装置からの信号と、前記第２の装置からの信号と、前記リモート側呼制御部からの疑似呼制御情報とを多重化すると共に、入力された多重化信号を前記第１の装置に対する信号と、前記第２の装置に対する信号と、疑似呼制御情報とに分離し、前記第１の装置に対する信号は前記リモート側変換部に出力し、前記第２の装置に対する信号は前記第２の装置に出力し、前記疑似呼制御情報は前記リモート側呼制御部に出力するリモート側多重分離部と、
該リモート多重分離部で多重化された信号を光信号に変換して前記光ファイバへ送出すると共に、前記光ファイバを介して送られてきた光信号を電気信号に変換して前記リモート側多重分離部に出力するリモート側光トランシーバとを備え、
前記センター側メディアコンバータが、
前記光ファイバを介して送られてきた光信号を電気信号に変換して出力すると共に、入力された信号を光信号に変換して前記光ファイバに送出するセンター側光トランシーバと、
該センター側光トランシーバからの信号を、前記アナログ電話網用の信号と、前記インターネット用の信号と、疑似呼制御情報とに分離すると共に、入力された前記第１の装置への信号と、前記第２の装置への信号と、疑似呼制御情報とを多重化して前記センター側光トランシーバに出力するセンター側多重分離部と、
前記インターネットに接続され、前記インターネットを介して送られてきた前記第２の装置への信号を前記センター側多重分離部に入力すると共に、前記センター側多重分離部で分離された前記インターネット用の信号を前記インターネットに送出するＬＡＮポートと、
前記アナログ電話網に接続され、前記第１の装置の状態を疑似すると共に、前記アナログ電話網からの前記第１の装置への信号を前記センター側多重分離部に出力する疑似ポートと、
前記センター側多重分離部で分離された疑似呼制御情報に基づいて前記疑似ポートの状態を制御すると共に、前記アナログ電話網からの前記第１の装置への呼制御情報に対応した疑似呼制御情報を前記センター側多重分離部に出力するセンター側呼制御部とを備えたことを特徴とする通信システム。
【請求項４】
ＩＳＤＮ網によって提供されるサービスを利用するための第１の装置とＦＴＴＨサービスを利用するための第２の装置とを収容したリモート側メディアコンバータと、該リモート側メディアコンバータと光ファイバを介して接続されると共に前記ＩＳＤＮ網及びインターネットに接続されるセンター側メディアコンバータとを含む通信システムであって、
前記リモート側メディアコンバータが、
前記第１の装置からの信号及び呼制御情報と、前記第２の装置からの信号とを多重化して出力すると共に、入力された信号の内、前記第１の装置用の信号及び呼制御情報を前記第１の装置へ出力し、前記第２の装置用の信号を前記第２の装置に出力するリモート側多重分離部と、
該リモート側多重分離部から出力される信号を光信号に変換して前記光ファイバへ送出すると共に、前記光ファイバを介して送られてくる光信号を電気信号に変換して前記リモート側多重分離部に出力するリモート側光トランシーバとを備え、
前記センター側メディアコンバータが、
前記光ファイバを介して送られてくる光信号を電気信号に変換して出力すると共に、入力された信号を光信号に変換して前記光ファイバへ送出するセンター側光トランシーバと、
該センター側光トランシーバから出力された電気信号を、前記ＩＳＤＮ網用の信号及び呼制御情報と、前記インターネット用の信号とに分離すると共に、入力された前記第１の装置への信号及び呼制御情報と、前記第２の装置への信号とを多重化して前記センター側光トランシーバへ出力するセンター側多重分離部と、
前記インターネットに接続され、前記インターネットを介して送られてきた前記第２の装置への信号を前記センター側多重分離部に入力すると共に、前記センター側多重分離部で分離された前記インターネット用の信号を前記インターネットに送出するＬＡＮポートと、
前記ＩＳＤＮ網に接続され、前記ＩＳＤＮ網を介して送られてきた前記第１の装置への信号及び呼制御情報を前記センター側多重分離部に入力すると共に、前記センター側多重分離部で分離された信号及び呼制御情報を前記ＩＳＤＮ網へ送出する疑似ＤＳＵポートとを備えたことを特徴とする通信システム。
【請求項５】
一般公衆網によって提供されるサービスを利用するための第１の装置とＦＴＴＨサービスを利用するための第２の装置とを収容し、且つ光ファイバを介してセンター側メディアコンバータと接続されたリモート側メディアコンバータであって、
前記第１の装置からの信号と前記第２の装置からの信号とを多重化して前記光ファイバへ送出する構成と、前記光ファイバを介して送られてくる信号を前記第１の装置用の信号と前記第２の装置用の信号とに分離する構成と、前記第１の装置に対して前記一般公衆網が行う呼制御を疑似する構成とを備えたことを特徴とするリモート側メディアコンバータ。
【請求項６】
一般公衆網によって提供されるサービスを利用するための第１の装置およびＦＴＴＨサービスを利用するための第２の装置を収容したリモート側メディアコンバータと光ファイバを介して接続され、且つ前記一般公衆網及びインターネットに接続されるセンター側メディアコンバータであって、
前記一般公衆網からの前記第１の装置への信号と前記インターネットからの前記第２の装置への信号とを多重化して前記光ファイバに送出する構成と、前記光ファイバを介して送られてくる信号を前記一般公衆網用の信号と前記インターネット用の信号とに分離する構成と、前記一般公衆網に対して前記第１の装置の状態を疑似する構成とを備えたことを特徴とするセンター側メディアコンバータ。
【発明の詳細な説明】
【技術分野】
【０００１】
本発明は、アナログ電話網やＩＳＤＮ(Integrated Services Digital Network）網などの一般公衆網により提供されるサービスと、ＦＴＴＨ(Fiber To The Home)サービスとを１本の光ファイバ（アクセス回線）で利用可能にする技術に関する。
【背景技術】
【０００２】
近年、アナログ電話網やＩＳＤＮ網等の一般公衆網によって提供されるサービス以外にＦＴＴＨサービスを利用するユーザが増加してきており、このような各種サービスを利用する場合、従来は、図７に示すような構成が必要であった（例えば、特許文献１参照）。
【０００３】
ユーザの宅内１００には、電話サービスを利用するためのアナログ電話機１０１と、ＦＴＴＨサービスを利用するためのイーサ端末１０２及びリモート側メディアコンバータ１０３と、ＩＳＤＮサービスを利用するためのＤＳＵ(Digital Service Unit)１０４とが設置されている。アナログ電話機１０１は、メタリック回線１０５を介してアナログ電話網１０６に接続され、リモート側メディアコンバータ１０３は、光ファイバ１０７及びセンター側メディアコンバータ１０８を介してインターネット１０９に接続され、ＤＳＵ１０４はメタリック回線１１０を介してＩＳＤＮ網１１１に接続されている。
【０００４】
また、ＦＴＴＨサービスを利用して通話を行う技術も提案されているが（例えば、特許文献２参照）、この技術は、既存の一般公衆網を利用するものではない。
【特許文献１】特開２００２−１９０８４４号公報
【特許文献２】特開平１１−５５１９２号公報
【発明の開示】
【発明が解決しようとする課題】
【０００５】
上述したように、従来は、ＦＴＴＨサービスと、一般公衆網によって提供されている他のサービスとを利用する場合、利用するサービス毎にアクセス回線が必要になるという問題があった。
【０００６】
〔発明の目的〕
そこで、本発明の目的は、アクセス回線として１本の光ファイバを使用するだけで、ＦＴＴＨサービスだけでなく、一般公衆網によって提供されているサービスも利用できるようにすることにある。
【課題を解決するための手段】
【０００７】
本発明にかかる第１の通信システムは、アクセス回線として１本の光ファイバを使用するだけで、ＦＴＴＨサービスだけでなく、一般公衆網によって提供されているサービスも利用できるようにするため、
一般公衆網によって提供されるサービスを利用するための第１の装置とＦＴＴＨサービスを利用するための第２の装置とを収容したリモート側メディアコンバータと、該リモート側メディアコンバータと光ファイバを介して接続されると共に前記一般公衆網及びインターネットに接続されるセンター側メディアコンバータとを含む通信システムであって、
前記リモート側メディアコンバータが、前記第１の装置からの信号と前記第２の装置からの信号とを多重化して前記光ファイバへ送出する構成と、前記光ファイバを介して送られてくる信号を前記第１の装置用の信号と前記第２の装置用の信号とに分離する構成と、前記第１の装置に対して前記一般公衆網が行う呼制御を疑似する構成とを備え、
前記センター側メディアコンバータが、前記一般公衆網からの前記第１の装置への信号と前記インターネットからの前記第２の装置への信号とを多重化して前記光ファイバに送出する構成と、前記光ファイバを介して送られてくる信号を前記一般公衆網用の信号と前記インターネット用の信号とに分離する構成と、前記一般公衆網に対して前記第１の装置の状態を疑似する構成とを備えたことを特徴とする。
【０００８】
本発明にかかる第２の通信システムは、アクセス回線として１本の光ファイバを使用するだけで、ＦＴＴＨサービスだけでなく、アナログ電話網によって提供されているサービスも利用できるようにするため、
アナログ電話網によって提供されるサービスを利用するための第１の装置とＦＴＴＨサービスを利用するための第２の装置とを収容したリモート側メディアコンバータと、該リモート側メディアコンバータと光ファイバを介して接続されると共に前記アナログ電話網及びインターネットに接続されるセンター側メディアコンバータとを含む通信システムであって、
前記リモート側メディアコンバータが、前記第１の装置からの信号と前記第２の装置からの信号と前記第１の装置の状態に応じた疑似呼制御情報とを多重化して前記光ファイバへ送出する構成と、前記光ファイバを介して送られてくる信号を前記第１の装置用の信号と前記第２の装置用の信号と疑似呼制御情報とに分離する構成と、該分離された疑似呼制御情報に基づいて前記第１の装置に対する呼制御を実行する構成とを備え、
前記センター側メディアコンバータが、前記アナログ電話網からの前記第１の装置への信号と前記インターネットからの前記第２の装置への信号と前記アナログ電話網からの呼制御情報に対応した疑似呼制御情報とを多重化して前記光ファイバに送出する構成と、前記光ファイバを介して送られてくる信号を前記アナログ電話網用の信号と疑似呼制御情報と前記インターネット用の信号とに分離する構成と、該分離した疑似呼制御情報に従って前記第１の装置の状態を疑似する構成とを備えたことを特徴とする。
【０００９】
より具体的には、本発明にかかる第３の通信システムは、第２の通信システムにおいて、
前記リモート側メディアコンバータが、
前記第１の装置の状態に応じた疑似呼制御情報を出力すると共に、入力された疑似呼制御情報に従って前記第１の装置に対する呼制御を行うリモート側呼制御部と、
前記第１の装置からの信号をディジタル化すると共に、前記第１の装置への信号をアナログ化するリモート側変換部と、
該リモート側変換部でディジタル化された前記第１の装置からの信号と、前記第２の装置からの信号と、前記リモート側呼制御部からの疑似呼制御情報とを多重化すると共に、入力された多重化信号を前記第１の装置に対する信号と、前記第２の装置に対する信号と、疑似呼制御情報とに分離し、前記第１の装置に対する信号は前記リモート側変換部に出力し、前記第２の装置に対する信号は前記第２の装置に出力し、前記疑似呼制御情報は前記リモート側呼制御部に出力するリモート側多重分離部と、
該リモート多重分離部で多重化された信号を光信号に変換して前記光ファイバへ送出すると共に、前記光ファイバを介して送られてきた光信号を電気信号に変換して前記リモート側多重分離部に出力するリモート側光トランシーバとを備え、
前記センター側メディアコンバータが、
前記光ファイバを介して送られてきた光信号を電気信号に変換して出力すると共に、入力された信号を光信号に変換して前記光ファイバに送出するセンター側光トランシーバと、
該センター側光トランシーバからの信号を、前記アナログ電話網用の信号と、前記インターネット用の信号と、疑似呼制御情報とに分離すると共に、入力された前記第１の装置への信号と、前記第２の装置への信号と、疑似呼制御情報とを多重化して前記センター側光トランシーバに出力するセンター側多重分離部と、
前記インターネットに接続され、前記インターネットを介して送られてきた前記第２の装置への信号を前記センター側多重分離部に入力すると共に、前記センター側多重分離部で分離された前記インターネット用の信号を前記インターネットに送出するＬＡＮポートと、
前記アナログ電話網に接続され、前記第１の装置の状態を疑似すると共に、前記アナログ電話網からの前記第１の装置への信号を前記センター側多重分離部に出力する疑似ポートと、
前記センター側多重分離部で分離された疑似呼制御情報に基づいて前記疑似ポートの状態を制御すると共に、前記アナログ電話網からの前記第１の装置への呼制御情報に対応した疑似呼制御情報を前記センター側多重分離部に出力するセンター側呼制御部とを備えたことを特徴とする。
【００１０】
本発明にかかる第４のアクセス回線として１本の光ファイバを使用するだけで、ＦＴＴＨサービスだけでなく、ＩＳＤＮ網によって提供されているサービスも利用できるようにするため、
ＩＳＤＮ網によって提供されるサービスを利用するための第１の装置とＦＴＴＨサービスを利用するための第２の装置とを収容したリモート側メディアコンバータと、該リモート側メディアコンバータと光ファイバを介して接続されると共に前記ＩＳＤＮ網及びインターネットに接続されるセンター側メディアコンバータとを含む通信システムであって、
前記リモート側メディアコンバータが、
前記第１の装置からの信号及び呼制御情報と、前記第２の装置からの信号とを多重化して出力すると共に、入力された信号の内、前記第１の装置用の信号及び呼制御情報を前記第１の装置へ出力し、前記第２の装置用の信号を前記第２の装置に出力するリモート側多重分離部と、
該リモート側多重分離部から出力される信号を光信号に変換して前記光ファイバへ送出すると共に、前記光ファイバを介して送られてくる光信号を電気信号に変換して前記リモート側多重分離部に出力するリモート側光トランシーバとを備え、
前記センター側メディアコンバータが、
前記光ファイバを介して送られてくる光信号を電気信号に変換して出力すると共に、入力された信号を光信号に変換して前記光ファイバへ送出するセンター側光トランシーバと、
該センター側光トランシーバから出力された電気信号を、前記ＩＳＤＮ網用の信号及び呼制御情報と、前記インターネット用の信号とに分離すると共に、入力された前記第１の装置への信号及び呼制御情報と、前記第２の装置への信号とを多重化して前記センター側光トランシーバへ出力するセンター側多重分離部と、
前記インターネットに接続され、前記インターネットを介して送られてきた前記第２の装置への信号を前記センター側多重分離部に入力すると共に、前記センター側多重分離部で分離された前記インターネット用の信号を前記インターネットに送出するＬＡＮポートと、
前記ＩＳＤＮ網に接続され、前記ＩＳＤＮ網を介して送られてきた前記第１の装置への信号及び呼制御情報を前記センター側多重分離部に入力すると共に、前記センター側多重分離部で分離された信号及び呼制御情報を前記ＩＳＤＮ網へ送出する疑似ＤＳＵポートとを備えたことを特徴とする。
【００１１】
本発明にかかる第１のリモート側メディアコンバータは、アクセス回線として１本の光ファイバを使用するだけで、ＦＴＴＨサービスだけでなく、一般公衆網によって提供されているサービスも利用できるようにするため、
一般公衆網によって提供されるサービスを利用するための第１の装置とＦＴＴＨサービスを利用するための第２の装置とを収容し、且つ光ファイバを介してセンター側メディアコンバータと接続されたリモート側メディアコンバータであって、
前記第１の装置からの信号と前記第２の装置からの信号とを多重化して前記光ファイバへ送出する構成と、前記光ファイバを介して送られてくる信号を前記第１の装置用の信号と前記第２の装置用の信号とに分離する構成と、前記第１の装置に対して前記一般公衆網が行う呼制御を疑似する構成とを備えたことを特徴とする。
【００１２】
本発明にかかる第１のセンター側メディアコンバータは、アクセス回線として１本の光ファイバを使用するだけで、ＦＴＴＨサービスだけでなく、一般公衆網によって提供されているサービスも利用できるようにするため、
一般公衆網によって提供されるサービスを利用するための第１の装置およびＦＴＴＨサービスを利用するための第２の装置を収容したリモート側メディアコンバータと光ファイバを介して接続され、且つ前記一般公衆網及びインターネットに接続されるセンター側メディアコンバータであって、
前記一般公衆網からの前記第１の装置への信号と前記インターネットからの前記第２の装置への信号とを多重化して前記光ファイバに送出する構成と、前記光ファイバを介して送られてくる信号を前記一般公衆網用の信号と前記インターネット用の信号とに分離する構成と、前記一般公衆網に対して前記第１の装置の状態を疑似する構成とを備えたことを特徴とする。
【発明の効果】
【００１３】
本発明の第１の通信システム、第１のリモート側メディアコンバータ及び第１のセンター側メディアコンバータによれば、アクセス回線として１本の光ファイバを使用するだけで、ＦＴＴＨサービスだけでなく、一般公衆網によって提供されているサービスも利用できるという効果を得ることができる。その理由は、一般公衆網によって提供されるサービスを利用する第１の装置から出力される信号と、ＦＴＴＨサービスを利用する第２の装置から出力される信号とを多重化し、１本の光ファイバにより、上記多重化した信号をセンター側メディアコンバータへ送信するようにすると共に、センター側メディアコンバータに、一般公衆網に対して第１の装置の状態を疑似する構成を設けたからである。
【００１４】
本発明の第２の通信システムによれば、アクセス回線として１本の光ファイバを使用するだけで、ＦＴＴＨサービスだけでなく、アナログ電話網によって提供されているサービスも利用できるという効果を得ることができる。その理由は、アナログ電話網によって提供されるサービスを利用する第１の装置から出力される信号と、ＦＴＴＨサービスを利用する第２の装置から出力される信号と、第１の装置の状態（オフフックなど）を示す疑似呼制御情報とを多重化し、上記多重化した信号を１本の光ファイバによってセンター側メディアコンバータへ送信するようにすると共に、センター側メディアコンバータに、リモート側メディアコンバータからの疑似呼制御情報に従って第１の装置の状態を疑似する構成を設けたからである。
【００１５】
本発明の第３の通信システムによれば、アクセス回線として１本の光ファイバを使用するだけで、ＦＴＴＨサービスだけでなく、アナログ電話網によって提供されているサービスも利用できるという効果を得ることができる。その理由は、アナログ電話網によって提供されるサービスを利用する第１の装置から出力される信号と、ＦＴＴＨサービスを利用する第２の装置から出力される信号と、第１の装置の状態を示す疑似呼制御情報とを多重化し、上記多重化した信号を１本の光ファイバによってセンター側メディアコンバータへ送信するようにすると共に、センター側メディアコンバータに、リモート側メディアコンバータからの疑似呼制御情報に基づいて疑似ポートの状態を制御する呼制御部を設けたからである。
【００１６】
本発明にかかる第４の通信システムによれば、アクセス回線として１本の光ファイバを使用するだけで、ＦＴＴＨサービスだけでなく、ＩＳＤＮ網によって提供されているサービスも利用できるという効果を得ることができる。その理由は、ＩＳＤＮ網によって提供されるサービスを利用する第１の装置から出力される信号及び呼制御情報と、ＦＴＴＨサービスを利用する第２の装置から出力される信号とを多重化し、上記多重化した信号を１本の光ファイバによってセンター側メディアコンバータへ送信するようにしているからである。
【発明を実施するための最良の形態】
【００１７】
次に本発明の実施の形態について図面を参照して詳細に説明する。
【００１８】
〔第１の実施の形態〕
図１は本発明の第１の実施の形態の全体構成を示すブロック図である。同図を参照すると、ユーザの宅内１には、アナログ電話網７によって提供される電話サービスを利用するためのアナログ電話機２と、ＦＴＴＨサービスを利用するためのパーソナルコンピュータ等のイーサ端末３と、それらを収容するリモート側メディアコンバータ４とが設置されている。リモート側メディアコンバータ４は、交換局などに設置されたセンター側メディアコンバータ６と光ファイバ５を介して接続されている。また、センター側メディアコンバータ６は、アナログ電話網７およびインターネット８に接続されている。
【００１９】
リモート側メディアコンバータ４は、図２に示すように、アナログポート４１と、ＬＡＮ(Local Area Network)ポート４２と、呼制御部４３と、ＣＯＤＥＣ（変換部）４４と、ＭＵＸ／ＤＥＭＵＸ（多重分離部）４５と、光トランシーバ４６とから構成されている。
【００２０】
アナログポート４１は、アナログ電話機２を収容しており、アナログ電話機からの音声信号を変換部４４に出力する機能や、変換部４４からの音声信号をアナログ電話機２に出力する機能や、アナログ電話機２にダイヤルトーン信号や呼び出し信号などを出力する機能や、アナログ電話機２の状態（オフフックなど）やアナログ電話機２から出力される選択信号（通話相手の電話番号）を呼制御部４３に通知する機能や、アナログ電話機２に給電する機能を有する。
【００２１】
ＬＡＮポート４２は、イーサ端末３からのデータ信号を多重分離部４５に出力する機能や、多重分離部４５からのデータ信号をイーサ端末３に出力する機能を有する。
【００２２】
呼制御部４３は、アナログポート４１から通知されたアナログ電話機２の状態やアナログ電話機２から出力される選択信号に応じた疑似呼制御情報を生成し、多重分離部４５に出力する機能を有する。例えば、アナログポート４１からアナログ電話機２がオフフック状態になったことが通知された場合には、そのことを示す疑似呼制御情報（例えば、パケット形式）を生成して多重分離部４５に渡し、また、オンフックされたことが通知された場合には、そのことを示す疑似呼制御情報を生成して多重分離部４５に渡す。更に、呼制御部４３は、多重分離部４５からの疑似呼制御情報に従ってアナログポート４１を制御することにより、アナログ電話機２に対する呼制御を実行する機能を有する。例えば、多重分離部４５から着呼があったことを示す疑似呼制御情報が入力された場合には、アナログポート４１を制御し、呼び出し信号をアナログ電話機２に対して出力させる。これにより、アナログ電話機２内のリンガ（図示せず）が動作し、呼び出し音が鳴る。
【００２３】
変換部４４は、アナログポート４１からの音声信号をディジタル信号に変換して多重分離部４５に出力する機能や、多重分離部４５からの信号をアナログ信号に変換してアナログポート４１に出力する機能を有する。
【００２４】
多重分離部４５は、変換部４４から出力される信号と、呼制御部４３から出力される疑似呼制御情報と、ＬＡＮポート４２から出力されるデータ信号とを多重化して出力する機能や、光トランシーバ４６からの信号をアナログ電話機２用の信号と、疑似呼制御情報と、イーサ端末３用のデータ信号とに分離し、アナログ電話機２用の信号を変換部４４に出力し、疑似呼制御情報を呼制御部４３に出力し、イーサ端末３用のデータ信号をＬＡＮポート４２に出力する機能を有する。
【００２５】
光トランシーバ４６は、多重分離部４５からの信号を電気信号に変換して光ファイバ５に送出する機能や、光ファイバ５を介してセンター側メディアコンバータ６から送られてくる信号を電気信号に変換する機能を有する。
【００２６】
一方、センター側メディアコンバータ６は、図３に示すように、光トランシーバ６１と、ＭＵＸ／ＤＥＭＵＸ（多重分離部）６２と、ＣＯＤＥＣ（変換部）６３と、呼制御部６４と、疑似電話ポート６５と、ＬＡＮポート６６とから構成されている。
【００２７】
光トランシーバ６１は、光ファイバ５を介してリモート側メディアコンバータ４から送られてくる光信号を電気信号に変換する機能や、多重分離部６２からの信号を光信号に変換して光ファイバ５に送出する機能を有する。
【００２８】
多重分離部６２は、光トランシーバ６１から出力された信号を、アナログ電話網７用の信号（アナログ電話機２から出力された音声信号）と、疑似呼制御情報と、インターネット８用の信号（イーサ端末３から出力されたデータ信号）とに分離し、アナログ電話網７用の信号をアナログ電話網７に出力し、疑似呼制御情報を呼制御部６４に出力し、インターネット８用の信号をＬＡＮポート６６に出力する機能を有する。更に、多重分離部６２は、変換部６３から出力される信号と、呼制御部６４から出力される疑似呼制御情報と、ＬＡＮポート６６から出力される信号とを多重化して出力する機能を有する。
【００２９】
変換部６３は、多重分離部６２からのディジタル信号をアナログ信号に変換して疑似電話ポート６５に出力する機能や、疑似電話ポート６５からの信号をディジタル信号に変換して多重分離部６２に出力する機能を有する。
【００３０】
呼制御部６４は、多重分離部６２からの疑似呼制御情報に従って疑似電話ポート６５の状態を制御したり、疑似呼制御情報によって示される選択信号を疑似電話ポート６５を介してアナログ電話網７へ送出することにより、アナログ電話網７内の交換機（図示せず）に対して、あたかもアナログ電話機２が接続されているように見せる機能を有する。例えば、オフフックを示す疑似呼制御情報が多重分離部６２から渡された場合は、交換機から見た疑似電話ポート６５の状態が、アナログ電話機２がオフフックした時の状態と同じになるように、疑似電話ポート６５の状態を制御する。更に、呼制御部６４は、疑似電話ポート６５を介してアナログ電話網７から渡された呼制御情報（例えば、ダイヤルトーン信号など）に対応する疑似呼制御情報を生成し、多重分離部６２に出力する機能を有する。
【００３１】
疑似電話ポート６５は、アナログ電話網７に接続され、変換部６３からの信号をアナログ電話網７に送出する機能や、呼制御部６４の制御に従ってアナログ電話機２の状態を疑似する機能や、呼制御部６４からの選択信号をアナログ電話網７に送出する機能や、アナログ電話網７からのアナログ電話機２への音声信号を変換部６３に出力する機能や、アナログ電話網７からのアナログ電話機２に対する呼制御情報を呼制御部６４に出力する機能などを有する。
【００３２】
ＬＡＮポート６６は、インターネット８に接続され、多重分離部６２からの信号をインターネット８へ送出する機能や、インターネット８からのイーサ端末３用のデータ信号を多重分離部６２に出力する機能を有する。
【００３３】
〔第１の実施の形態の動作説明〕
次に、本実施の形態の動作について、図１〜図３を参照して詳細に説明する。
【００３４】
先ず、アナログ電話２から発呼する場合の動作について説明する。
【００３５】
ユーザがアナログ電話機２のハンドセットをオフフックすると、リモート側メディアコンバータ４内のアナログポート４１が、そのことを呼制御部４３に通知する。これにより、呼制御部４３は、アナログ電話機２がオフフックされたことを示す疑似呼制御情報を生成し、それを多重分離部４５に出力する。
【００３６】
多重分離部４５は、呼制御部４３から出力された疑似呼制御情報とＬＡＮポート４２から出力されたデータ信号とを多重化し、光トランシーバ４６に出力する。光トランシーバ４６は、この多重化信号を光信号に変換し、光ファイバ５を介してセンター側メディアコンバータ６に送信する。
【００３７】
センター側メディアコンバータ６内の光トランシーバ６１は、リモート側メディアコンバータ４から送られてきた光信号を電気信号に変換し、多重分離部６２に出力する。
【００３８】
多重分離部６２は、上記信号をイーサ端末３からのデータ信号と呼制御部４３からのオフフックを示す疑似呼制御情報とに分離し、データ信号をＬＡＮポート６６に出力し、疑似呼制御情報を呼制御部６４に出力する。
【００３９】
ＬＡＮポート６６は、多重分離部６２から渡されたデータ信号をインターネット８に送出する。
【００４０】
一方、呼制御部６４は、オフフックを示す疑似呼制御情報が渡されると、疑似電話ポート６５を制御し、アナログ電話網７内の交換機から見た疑似電話ポート６５の状態がアナログ電話機２がオフフックした時の状態と同じになるようにする。これにより、交換機はアナログ電話機２がオフフックしたことを認識し、ダイヤル可を知らせるための呼制御情報であるダイヤルトーン信号を出力する。
【００４１】
このダイヤルトーン信号は、疑似電話ポート６５を介して呼制御部６４に入力される。呼制御部６４は、ダイヤルトーン信号が入力されると、ダイヤルトーン信号に対応した疑似呼制御情報を生成し、多重分離部６２へ出力する。
【００４２】
多重分離部６２は、上記ダイヤルトーン信号に対応した疑似呼制御情報とＬＡＮポート６６から入力されるイーサ端末３へのデータ信号とを多重化する。光トランシーバ６１は、多重分離部６２で多重化された信号を光信号に変換し、光ファイバ５を介してリモート側メディアコンバータ４へ送る。
【００４３】
この光信号は、リモート側メディアコンバータ４内の光トランシーバ４６によって電気信号に変換された後、多重分離部４５に入力される。多重分離部４５は、ダイヤルトーン信号に対応した疑似呼制御情報を呼制御部４３に出力し、イーサ端末３用のデータ信号をＬＡＮポート４２に出力する。これにより、呼制御部４３は、アナログポート４１を制御し、アナログポート４１からアナログ電話機２へダイヤルトーン信号を送信させる。
【００４４】
ダイヤルトーン信号を聴取したユーザは、相手電話番号をダイヤルする。これにより、アナログポート４１を介して呼制御部４３に相手電話番号に対応した選択信号が入力され、呼制御部４３は、上記選択信号に対応した疑似呼制御情報を出力する。この疑似呼制御情報が、多重分離部４５→光トランシーバ４６→光ファイバ５→光トランシーバ６１→多重分離部６２→呼制御部６４→疑似電話ポート６５を介してアナログ電話網７内の交換機に送られ、呼が確立する。
【００４５】
呼の確立後、アナログ電話機２からの音声信号は、アナログポート４１→変換部４４→多重分離部４５→光トランシーバ４６→光ファイバ５→光トランシーバ６１→多重分離部６２→変換部６３→疑似電話ポート６５→アナログ電話網７の経路で相手方の電話機に送られ、相手方の電話機からの音声信号は、逆の経路でアナログ電話機２に送られる。
【００４６】
その後、アナログ電話機２のユーザがハンドセットをオンフックすると、呼制御部４３がオンフックを示す疑似呼制御情報を生成する。この疑似呼制御情報は、多重分離部４５→光トランシーバ４６→光ファイバ５→光トランシーバ６１→多重分離部６２を介して呼制御部６４に送られる。これにより、呼制御部６４は、疑似電話ポート６５を制御し、アナログ電話網７内の交換機から見た疑似電話ポート６５の状態がアナログ電話機２がオンフックした時の状態と同じになるようにする。これにより、交換機はアナログ電話機２がオンフックしたことを認識し、通話に使用していた回線を解放する。
【００４７】
次に、着呼時の動作を説明する。アナログ電話網７内の交換機はアナログ電話機２に対する着呼があった場合、呼制御情報である呼び出し信号を出力する。この呼び出し信号は、疑似電話ポート６５を介して呼制御部６４に入力される。これにより、呼制御部６４では呼び出し信号に対応する疑似呼制御情報を生成し、リモート側メディアコンバータ４へ送信する。
【００４８】
リモート側メディアコンバータ４内の呼制御部４３は、呼び出し信号に対応する疑似呼制御情報が入力されると、アナログポート４１を制御し、アナログ電話機２に対して呼び出し信号を出力させる。これにより、アナログ電話機２内のリンガが駆動し、呼び出し音が出力される。呼び出し音を聞いたユーザは、ハンドセットをオフフックし、相手方と通話を行う。
【００４９】
〔発明の第２の実施の形態〕
次に、本発明の第２の実施の形態について詳細に説明する。図４は本発明の第２の実施の形態の全体構成を示すブロック図である。同図を参照すると、ユーザの宅内１には、ＩＳＤＮ網１０によって提供されるサービスを利用するためのＤＳＵ(Digital Service Unit；終端装置)９と、ＦＴＴＨサービスを利用するためのパーソナルコンピュータ等のイーサ端末３とを収容したリモート側メディアコンバータ４ａが設置されている。このリモート側メディアコンバータ４ａには、光ファイバ５を介してセンター側メディアコンバータ６ａが接続されている。また、センター側メディアコンバータ６ａには、インターネット８及びＩＳＤＮ網１０が接続されている。
【００５０】
リモート側メディアコンバータ４ａは、図５に示すように、疑似ＯＣＵ(Office Channel Unit)ポート４７と、ＬＡＮポート４２と、ＭＵＸ／ＤＥＭＵＸ（多重分離部）４８と、光トランシーバ４６とから構成されている。
【００５１】
疑似ＯＣＵポート４７は、ＤＳＵ９と多重分離部４８との物理的特性（例えば、電圧など）の差異を吸収するためのインタフェースとして機能する。
【００５２】
多重分離部４８は、疑似ＯＣＵポート４７からの信号とＬＡＮポート４２からの信号とを多重化する機能や、光トランシーバ４６からの信号をＤＳＵ９用の信号（ユーザ情報及び呼制御情報を含む）とイーサ端末３用との信号とに分離する機能を有する。
【００５３】
光トランシーバ４６は、多重分離部４８から出力された信号を光信号に変換して光ファイバ５へ送出する機能や、光ファイバ５からの光信号を電気信号に変換する機能を有する。
【００５４】
一方、センター側メディアコンバータ６ａは、図６に示すように、光トランシーバ６１と、ＭＵＸ／ＤＥＭＵＸ（多重分離部）６７と、ＬＡＮポート６６と、疑似ＤＳＵポート６８とから構成されている。
【００５５】
光トランシーバ６１は、光ファイバ５からの信号を電気信号に変換する機能や、多重分離部６７からの信号を光信号に変換して光ファイバ５へ送出する機能を有する。
【００５６】
多重分離部６７は、光トランシーバ６１からの信号をインターネット８用の信号とＩＳＤＮ網１０用の信号（呼制御情報を含む）とに分離する機能や、ＬＡＮポート６６からの信号と疑似ＤＳＵポート６８からの信号とを多重化する機能を有する。
【００５７】
ＬＡＮポート６６は、多重分離部６７からの信号をインターネット８に出力する機能や、インターネット８からの信号を多重分離部６７に出力する機能を有する。
【００５８】
疑似ＤＳＵポート６８は、ＩＳＤＮ網１０からはＤＳＵ９が接続されているように見せる機能を有する。つまり、ＩＳＤＮ網１０と多重分離部６７との物理的特性の差異を吸収するインタフェースをして機能する。
【００５９】
〔第２の実施の形態の動作説明〕  
次に本実施の形態の動作について説明する。
【００６０】
ＤＳＵ９からの信号（ユーザ情報または呼制御情報）は、疑似ＯＣＵポート４７において、その物理的な特性が多重分離部４８の物理的な特性に合うように変換された後、多重分離部４８に入力される。多重分離部４８は、疑似ＯＣＵポート４７からの信号とＬＡＮポート４２からの信号とを多重化し、光トランシーバ４６及び光ファイバ５を介してセンター側メディアコンバータ６ａへ送信する。
【００６１】
センター側メディアコンバータ６ａにおいては、光トランシーバ６１がリモート側メディアコンバータ４ａからの光信号を電気信号に変換し、多重分離部６７が、光トランシーバ６１からの信号を、インターネット８用の信号とＩＳＤＮ網１０用の信号とに分離し、インターネット８用の信号をＬＡＮポート６６に出力し、ＩＳＤＮ網１０用の信号を疑似ＤＳＵポート６８に出力する。
【００６２】
疑似ＤＳＵポート６８は、多重分離部６７からの信号の物理的特性をＩＳＤＮ網１０の物理的特性に合うように変換した後、ＩＳＤＮ網１０に出力し、ＬＡＮポート６６は、多重分離部６７からの信号をインターネット８に出力する。
【００６３】
以上はユーザが送信側となる場合の動作であるが、ユーザが受信側となる場合の動作は、次の通りである。
【００６４】
ＩＳＤＮ網１０からのＤＳＵ９用の信号は、疑似ＤＳＵポート６８において、その物理的特性が多重分離部６７に合うように変換された後、多重分離部６７に入力され、インターネット８からのイーサ端末３用の信号は、ＬＡＮポート６６を介して多重分離部６７に入力される。
【００６５】
多重分離部６７は、疑似ＤＳＵポート６８からの信号とＬＡＮポート６６からの信号とを多重化し、光トランシーバ６１及び光ファイバ５を介してリモート側メディアコンバータ４ａへ送信する。
【００６６】
リモート側メディアコンバータ４ａにおいては、光トランシーバ４６がセンター側メディアコンバータ６ａからの光信号を電気信号に変換し、多重分離部４８が、光トランシーバ４６からの信号をＤＳＵ９用の信号とイーサ端末３用の信号とに分離し、ＤＳＵ９用の信号を疑似ＯＣＵポート４７に出力し、イーサ端末３用の信号をＬＡＮポート４２に出力する。
【００６７】
疑似ＯＣＵポート４７は、多重分離部４８からの信号の物理的特性をＤＳＵ９の物理的特性に合うように変換した後、ＤＳＵ９に出力し、ＬＡＮポート４２は、多重分離部４８からの信号をイーサ端末３に出力する。
【図面の簡単な説明】
【００６８】
【図１】本発明の第１の実施の形態の全体構成を示すブロック図である。
【図２】リモート側メディアコンバータ４の構成例を示すブロック図である。
【図３】センター側メディアコンバータ６の構成例を示すブロック図である。
【図４】本発明の第２の実施の形態の全体構成を示すブロック図である。
【図５】リモート側メディアコンバータ４ａの構成例を示すブロック図である。
【図６】センター側メディアコンバータ６ａの構成例を示すブロック図である。
【図７】従来の技術を説明するためのブロック図である。
【符号の説明】
【００６９】
１…宅内
２…アナログ電話機
３…イーサ端末
４、４ａ…リモート側メディアコンバータ
４１…アナログポート
４２…ＬＡＮポート
４３…呼制御部
４４…変換部（ＣＯＤＥＣ）
４５、４８…多重分離部（ＭＵＸ／ＤＥＭＵＸ）
４６…光トランシーバ
４７…疑似ＯＣＵポート
５…光ファイバ
６、６ａ…センター側メディアコンバータ
６１…光トランシーバ
６２、６７…多重分離部（ＭＵＸ／ＤＥＭＵＸ）
６３…変換部（ＣＯＤＥＣ）
６４…呼制御部
６５…疑似電話ポート
６６…ＬＡＮポート
６８…疑似ＤＳＵポート
７…アナログ電話網
８…インターネット
９…終端装置（ＤＳＵ）
１０…ＩＳＤＮ網
【図１】
2005184174.tif 000003
【図２】
2005184174.tif 000004
【図３】
2005184174.tif 000005
【図４】
2005184174.tif 000006
【図５】
2005184174.tif 000007
【図６】
2005184174.tif 000008
【図７】
2005184174.tif 000009